(57)【要約】【課題】演奏者の足操作子群の演奏技術を効果的に高めることが可能な教習装置、教習プログラムおよび教習方法を提供する。【解決手段】音高指定データ取得部１０２は、演奏すべき音高を指定する音高指定データを順次取得する。表示部１０３は、ペダル鍵盤画像をディスプレイ６上に表示する。判定部１０４は、取得された音高指定データにより指定された音高が、手鍵盤およびペダル鍵盤のいずれの操作により演奏されるべきかを判定する。ペダル鍵指定部１０５は、指定された音高がペダル鍵盤の操作により演奏されるべきであると判定された場合、指定された音高に対応するペダル鍵をペダル鍵盤画像上で指定する。【選択図】図４
2018146716.tif 000002
【特許請求の範囲】
【請求項１】
演奏すべき音高を指定する音高指定データを順次取得する取得手段と、
演奏者の足で操作されかつそれぞれ音高が割り当てられた複数の足操作子からなる足操作子群と、
演奏者の手で操作される手操作部と、
前記足操作子群に対応する足操作子群画像を表示する表示手段と、
取得された音高指定データにより指定された音高が、前記足操作子群および前記手操作部のいずれの操作により演奏されるべきか判定する判定手段と、
前記指定された音高が前記足操作子群の操作により演奏されるべきであると判定された場合、前記指定された音高に対応する足操作子を前記足操作子群画像上で指定する足操作子指定手段とを備えた、教習装置。
【請求項２】
前記複数の足操作子には、互いに異なる複数の音高がそれぞれ割り当てられ、
前記手操作部は、互いに異なる複数の音高がそれぞれ割り当てられた複数の手操作子からなる手操作子群を含み、
前記複数の足操作子に割り当てられた複数の音高のうち最も低い音高と最も高い音高との間の音域は、前記複数の手操作子に割り当てられた複数の音高のうち最も低い音高と最も高い音高との間の音域よりも狭い、請求項１記載の教習装置。
【請求項３】
前記手操作子群は、半音階を構成する複数の音高がそれぞれ割り当てられた複数の手鍵を前記複数の手操作子として含む手鍵盤であり、
前記足操作子群は、半音階を構成する複数の音高がそれぞれ割り当てられた複数のペダル鍵を前記複数の足操作子として含むペダル鍵盤である、請求項２記載の教習装置。
【請求項４】
前記指定された音高が前記手操作部の操作により演奏されるべきであると前記判定手段により判定された場合、前記指定された音高に対応する手操作子を指定する手操作子指定手段をさらに備えた、請求項２または３記載の教習装置。
【請求項５】
演奏者の足で操作されかつそれぞれ音高が割り当てられた複数の足操作子からなる足操作子群に対応する足操作子群画像を表示するステップと、
演奏すべき音高を指定する音高指定データを順次取得するステップと、
取得された音高指定データにより指定された音高が、前記足操作子群および演奏者の手で操作される手操作部のいずれの操作により演奏されるべきか判定するステップと、
前記指定された音高が前記足操作子群の操作により演奏されるべきであると判定された場合、前記指定された音高に対応する足操作子を前記足操作子群画像上で指定するステップとを、
コンピュータに実行させるための教習プログラム。
【請求項６】
演奏者の足で操作されかつそれぞれ音高が割り当てられた複数の足操作子からなる足操作子群に対応する足操作子群画像を表示するステップと、
演奏すべき音高を指定する音高指定データを順次取得するステップと、
取得された音高指定データにより指定された音高が、前記足操作子群および演奏者の手で操作される手操作部のいずれの操作により演奏されるべきか判定するステップと、
前記指定された音高が前記足操作子群の操作により演奏されるべきであると判定された場合、前記指定された音高に対応する足操作子を前記足操作子群画像上で指定するステップとを含む、教習方法。
【発明の詳細な説明】
【技術分野】
【０００１】
本発明は、演奏の教習を行う教習装置、教習プログラムおよび教習方法に関する。
【背景技術】
【０００２】
ユーザに演奏をガイドするガイド機能を備えた電子楽器が知られている。特許文献１には、押鍵ガイド機能を有する電子鍵盤楽器が記載されている。この電子鍵盤楽器には、鍵盤に対応して鍵盤ＬＥＤ（発光ダイオード）が設けられる。ガイドモードでは、鍵オンタイミングの所定時間前にその鍵に対応するＬＥＤが第１の態様で点灯され、鍵オンタイミングで当該ＬＥＤが第２の態様で点灯される。
【先行技術文献】
【特許文献】
【０００３】
【特許文献１】特開平１０−２４７０５９号公報
【発明の概要】
【発明が解決しようとする課題】
【０００４】
電子オルガンで代表されるように、手で操作される手鍵盤に加えて、足で操作されるペダル鍵盤を備えた電子楽器がある。ペダル鍵盤は、それぞれ音高が割り当てられた複数のペダル鍵を含む。ペダル鍵盤の演奏技術を高めるため、特許文献１に記載されるような手鍵盤のガイドに加えて、ペダル鍵盤のガイドを行うことが求められる。しかしながら、ペダル鍵盤は、手鍵盤に比べて演奏を行うユーザの目から遠い位置にある。そのため、手鍵盤と同じようにＬＥＤを用いてペダル鍵盤の演奏のガイドを行っても、ユーザが操作すべきペダル鍵を適切に認識することは難しい。例えば、ユーザの目から近い位置にペダル鍵盤用のＬＥＤが設けられた場合には、ＬＥＤとペダル鍵盤との間の距離が大きくなるので、ユーザが、点灯されたＬＥＤと操作すべきペダル鍵とを対応付けることが難しい。一方、ペダル鍵盤に近い位置にペダル鍵盤用のＬＥＤが設けられた場合には、ユーザがＬＥＤを視認しにくい。これにより、ユーザのペダル鍵盤の演奏技術を高めることが難しい。
【０００５】
本発明の目的は、演奏者の足操作子群の演奏技術を効果的に高めることが可能な教習装置、教習プログラムおよび教習方法を提供することである。
【課題を解決するための手段】
【０００６】
本発明に係る教習装置は、演奏すべき音高を指定する音高指定データを順次取得する取得手段と、演奏者の足で操作されかつそれぞれ音高が割り当てられた複数の足操作子からなる足操作子群と、演奏者の手で操作される手操作部と、足操作子群に対応する足操作子群画像を表示する表示手段と、取得された音高指定データにより指定された音高が、足操作子群および手操作部のいずれの操作により演奏されるべきか判定する判定手段と、指定された音高が足操作子群の操作により演奏されるべきであると判定された場合、指定された音高に対応する足操作子を足操作子群画像上で指定する足操作子指定手段とを備える。
【０００７】
この教習装置においては、音高指定データにより指定された音高に対応する足操作子が足操作子群画像上で指定されるので、演奏者は、足操作子群画像を見て操作すべき足操作子を直感的に認識することができる。また、演奏者は、演奏すべき音高と操作すべき足操作子とを容易に対応付けることができる。これにより、演奏者の足操作子群の演奏技術を効果的に高めることができる。
【０００８】
複数の足操作子には、互いに異なる複数の音高がそれぞれ割り当てられ、手操作部は、互いに異なる複数の音高がそれぞれ割り当てられた複数の手操作子からなる手操作子群を含み、複数の足操作子に割り当てられる複数の音高のうち最も低い音高と最も高い音高との間の音域は、複数の手操作子に割り当てられる複数の音高のうち最も低い音高と最も高い音高との間の音域よりも狭くてもよい。この場合、足操作子群の音域が比較的狭いので、足による足操作子群の操作が容易になる。
【０００９】
手操作子群は、半音階を構成する複数の音高がそれぞれ割り当てられた複数の手鍵を複数の手操作子として含む手鍵盤であり、足操作子群は、半音階を構成する複数の音高がそれぞれ割り当てられた複数のペダル鍵を複数の足操作子として含むペダル鍵盤であってもよい。この場合、電子オルガンで代表される電子楽器において、演奏者のペダル鍵盤の演奏技術を効果的に高めることができる。
【００１０】
教習装置は、指定された音高が手操作部の操作により演奏されるべきであると判定手段により判定された場合、指定された音高に対応する手操作子を指定する手操作子指定手段をさらに備えてもよい。この場合、演奏者は、操作すべき足操作子に加えて操作すべき手操作子を容易に認識することができる。それにより、足操作子群の演奏技術に加えて手操作子群の演奏技術も同時に高めることができる。
【００１１】
本発明に係る教習プログラムは、演奏者の足で操作されかつそれぞれ音高が割り当てられた複数の足操作子からなる足操作子群に対応する足操作子群画像を表示するステップと、演奏すべき音高を指定する音高指定データを順次取得するステップと、取得された音高指定データにより指定された音高が、足操作子群および演奏者の手で操作される手操作部のいずれの操作により演奏されるべきか判定するステップと、指定された音高が足操作子群の操作により演奏されるべきであると判定された場合、指定された音高に対応する足操作子を足操作子群画像上で指定するステップとを、コンピュータに実行させるためのものである。
【００１２】
本発明に係る教習方法は、演奏者の足で操作されかつそれぞれ音高が割り当てられた複数の足操作子からなる足操作子群に対応する足操作子群画像を表示するステップと、演奏すべき音高を指定する音高指定データを順次取得するステップと、取得された音高指定データにより指定された音高が、足操作子群および演奏者の手で操作される手操作部のいずれの操作により演奏されるべきか判定するステップと、指定された音高が足操作子群の操作により演奏されるべきであると判定された場合、指定された音高に対応する足操作子を足操作子群画像上で指定するステップとを含む。
【００１３】
この教習プログラムおよび教習方法によれば、演奏者の足操作子群の演奏技術を効果的に高めることが可能となる。
【発明の効果】
【００１４】
本発明によれば、演奏者の足操作子群の演奏技術を効果的に高めることが可能となる。
【図面の簡単な説明】
【００１５】
【図１】本実施の形態に係る教習装置を備えた電子楽器のハードウェア構成の一例を示すブロック図である。
【図２】演奏操作子を構成する手鍵盤およびペダル鍵盤、ならびにガイド部の具体例について説明するための模式図である。
【図３】ディスプレイに表示される教習画面の例を示す図である。
【図４】教習装置の機能的な構成を示すブロック図である。
【図５】教習装置における教習処理の一例を示すフローチャートである。
【図６】教習装置における教習処理の一例を示すフローチャートである。
【図７】他の足操作子群を備えた演奏装置を示す図である。
【発明を実施するための形態】
【００１６】
以下、本発明の実施の形態に係る教習装置、教習プログラムおよび教習方法について図面を用いて詳細に説明する。
【００１７】
［１］電子楽器の構成
図１は、本実施の形態に係る教習装置を備えた電子楽器のハードウェア構成の一例を示すブロック図である。図１の電子楽器１は、楽曲の演奏が可能な電子鍵盤楽器である。電子楽器１の動作モードとして、演奏の教習を行う教習モードが用意されている。
【００１８】
電子楽器１は、演奏操作子２、入力Ｉ／Ｆ（インタフェース）３、設定操作子４、検出回路５、ディスプレイ６、表示回路７およびガイド部８を備える。演奏操作子２は、入力Ｉ／Ｆ３を介してバス１９に接続される。ユーザが演奏操作子２を操作することにより、演奏データが入力される。演奏データは、例えばＭＩＤＩ（Musical Instrument Digital Interface）データまたはオーディオデータからなる。本例において、演奏操作子２は、ユーザ（演奏者）の手で操作される手鍵盤ＨＫ、およびユーザの足で操作されるペダル鍵盤ＰＫを含む。手鍵盤ＨＫおよびペダル鍵盤ＰＫの詳細については後述する。
【００１９】
設定操作子４は、オンオフ操作されるスイッチ、回転操作されるロータリエンコーダ、またはスライド操作されるリニアエンコーダ等を含み、検出回路５を介してバス１９に接続される。設定操作子４は、音量の調整、電源のオンオフおよび各種設定を行うために用いられる。ディスプレイ６は、例えば液晶ディスプレイを含み、表示回路７を介してバス１９に接続される。ディスプレイ６により、演奏または設定等に関する各種情報が表示される。設定操作子４およびディスプレイ６の少なくとも一部がタッチパネルディスプレイにより構成されてもよい。ガイド部８は、演奏操作子２による演奏をガイドする。ガイド部８の詳細については後述する。
【００２０】
電子楽器１は、ＲＡＭ（ランダムアクセスメモリ）９、ＲＯＭ（リードオンリメモリ）１０、ＣＰＵ（中央演算処理装置）１１、タイマ１２および記憶装置１３をさらに備える。ＲＡＭ９、ＲＯＭ１０、ＣＰＵ１１および記憶装置１３はバス１９に接続され、タイマ１２はＣＰＵ１１に接続される。外部記憶装置１５等の外部機器が通信Ｉ／Ｆ（インタフェース）１４を介してバス１９に接続されてもよい。ＲＡＭ９、ＲＯＭ１０、ＣＰＵ１１およびタイマ１２がコンピュータを構成する。
【００２１】
ＲＡＭ９は、例えば揮発性メモリからなり、ＣＰＵ１１の作業領域として用いられるとともに、各種データを一時的に記憶する。ＲＯＭ１０は、例えば不揮発性メモリからなり、制御プログラムおよび教習プログラム等のコンピュータプログラムを記憶する。ＣＰＵ１１は、ＲＯＭ１０に記憶された教習プログラムをＲＡＭ９上で実行することにより後述する教習処理を行う。タイマ１２は、現在時刻等の時間情報をＣＰＵ１１に与える。
【００２２】
記憶装置１３は、ハードディスク、光学ディスク、磁気ディスクまたはメモリカード等の記憶媒体を含み、複数の練習曲の曲データを記憶する。各曲データは、複数のパートにそれぞれ対応する複数のパートデータを含む。各パートデータは、例えばＭＩＤＩデータであり、対応するパートの音高列、ノートオンおよびノートオフの時点ならびにベロシティ等を示す複数のイベントデータを含む。
【００２３】
上記の教習プログラムが記憶装置１３に記憶されてもよい。外部記憶装置１５は、記憶装置１３と同様に、ハードディスク、光学ディスク、磁気ディスクまたはメモリカード等の記憶媒体を含む。上記の教習プログラムが外部記憶装置１５に記憶されてもよい。
【００２４】
教習プログラムは、コンピュータが読み取り可能な記録媒体に格納された形態で提供され、ＲＯＭ１０または記憶装置１３にインストールされてもよい。また、通信Ｉ／Ｆ１４が通信網に接続されている場合、通信網に接続されたサーバから配信された教習プログラムがＲＯＭ１０または記憶装置１３にインストールされてもよい。同様に、少なくとも１つの曲データが、記憶媒体から取得されてもよく、通信網に接続されたサーバから取得されてもよい。
【００２５】
電子楽器１は、音源１６、効果回路１７およびサウンドシステム１８をさらに備える。音源１６および効果回路１７はバス１９に接続され、サウンドシステム１８は効果回路１７に接続される。音源１６は、演奏操作子２により入力される演奏データ、ならびに後述の自動演奏パートのパートデータに基づいて楽音信号を生成する。効果回路１７は、音源１６により生成される楽音信号に音響効果を付与する。
【００２６】
サウンドシステム１８は、デジタルアナログ（Ｄ／Ａ）変換回路、増幅器およびスピーカを含む。このサウンドシステム１８は、音源１６から効果回路１７を通して与えられる楽音信号をアナログ音信号に変換し、アナログ音信号に基づく音を発生する。電子楽器１において、主として演奏操作子２、ディスプレイ６、ＲＡＭ９、ＲＯＭ１０、ＣＰＵ１１および記憶装置１３が教習装置１００を構成する。
【００２７】
［２］演奏操作子およびガイド部
図２は、演奏操作子２を構成する手鍵盤ＨＫおよびペダル鍵盤ＰＫ、ならびにガイド部８の具体例について説明するための模式図である。図２に示すように、本例において、手鍵盤ＨＫは、上鍵盤ＵＫおよび下鍵盤ＬＫを含む。上鍵盤ＵＫと下鍵盤ＬＫとは上下および前後にずらして配置され、上鍵盤ＵＫは下鍵盤ＬＫより上方かつ奥側（ユーザから遠い側）に位置する。上鍵盤ＵＫは、主としてユーザの右手で操作され、下鍵盤ＬＫは主としてユーザの左手で操作される。上鍵盤ＵＫは、それぞれ音高が割り当てられた複数の上鍵ｋ１からなり、下鍵盤ＬＫは、それぞれ音高が割り当てられた複数の下鍵ｋ２からなり、ペダル鍵盤ＰＫは、それぞれ音高が割り当てられた複数のペダル鍵ｋ３からなる。以下、上鍵ｋ１および下鍵ｋ２を総称して手鍵と呼ぶ。
【００２８】
上鍵盤ＵＫは、例えば、例えば４９鍵（４オクターブと１音）または６１鍵（５オクターブと１音）の上鍵ｋ１を含む。下鍵盤ＬＫは、上鍵盤ＵＫと同様に、例えば４９鍵または６１鍵の下鍵ｋ２を含む。ペダル鍵盤ＰＫは、例えば２０鍵（１オクターブと８音）または２５鍵（２オクターブと１音）のペダル鍵ｋ３を含む。通常、下鍵盤ＬＫの音域のうち最も低い音高は、ペダル鍵盤ＰＫの音域のうち最も低い音高よりも高く、上鍵盤ＵＫの音域のうち最も低い音高は、下鍵盤ＬＫの音域のうち最も低い音高よりも高い。また、ペダル鍵盤ＰＫの音域は、上鍵盤ＵＫの音域および下鍵盤ＬＫの音域よりも狭い。上鍵盤ＵＫ、下鍵盤ＬＫおよびペダル鍵盤ＰＫの各々の音域は、予め定められていてもよく、またはユーザが任意に設定可能であってもよい。
【００２９】
本例において、ガイド部８は、複数の上鍵ｋ１にそれぞれ対応する複数の上点灯部Ｌ１および複数の下鍵ｋ２にそれぞれ対応する複数の下点灯部Ｌ２を含む。各上点灯部Ｌ１および各下点灯部Ｌ２は、例えばＬＥＤ（発光ダイオード）からなる。各上点灯部Ｌ１は、例えば、上鍵盤ＵＫの奥側に位置するパネル面上において、対応する上鍵ｋ１と前後に隣り合うように設けられ、各下点灯部Ｌ２は、例えば、上鍵盤ＵＫと下鍵盤ＬＫとの間に位置するパネル面上において、対応する下鍵ｋ２と前後に隣り合うように設けられる。教習モードでは、各上点灯部Ｌ１が、対応する上鍵ｋ１を操作すべき時点で点灯され、各下点灯部Ｌ２が、対応する下鍵ｋ２を操作すべき時点で点灯される。これにより、ユーザが各上鍵ｋ１および各下鍵ｋ２の操作時点を容易に認識することができる。なお、ガイド部８が、上点灯部Ｌ１および下点灯部Ｌ２のうち一方のみを含んでもよい。その場合、ガイド部８は、上鍵盤ＵＫおよび下鍵盤ＬＫのうち一方の演奏のみをガイドする。
【００３０】
［３］教習画面
本例では、教習モードにおいて、予め用意された複数の練習曲のうち１つの曲がユーザにより選択される。また、選択された曲の複数のパートのうち、ユーザが演奏すべきパートが練習パートとして選択される。練習パートは、上鍵盤ＵＫで演奏すべきパート（以下、上演奏パートと呼ぶ。）、下鍵盤ＬＫで演奏すべきパート（以下、下演奏パートと呼ぶ。）およびペダル鍵盤ＰＫで演奏すべきパート（以下、ペダル演奏パートと呼ぶ。）のうち少なくとも１つを含む。なお、上演奏パート、下演奏パートおよびペダル演奏パートのうち少なくとも１つが予め定められていてもよい。
【００３１】
曲の進行に合わせて、各練習パートの演奏のガイドが行われる。図１のディスプレイ６には、ペダル鍵盤ＰＫの演奏をガイドするための教習画面が表示される。図３は、ディスプレイ６に表示される教習画面の例を示す図である。図３の教習画面２００は、ペダル鍵盤画像表示領域２０１およびリズム情報表示領域２０２を含む。ペダル鍵盤画像表示領域２０１には、図２のペダル鍵盤ＰＫに対応するペダル鍵盤画像ＰＩＭが表示される。図３のペダル鍵盤画像ＰＩＭは、２０鍵のペダル鍵盤ＰＫに対応する。
【００３２】
曲の進行に合わせて、操作すべきペダル鍵ｋ３がペダル鍵盤画像ＰＩＭ上で順次指定される。本例では、操作すべきペダル鍵ｋ３上に円形のマーカーＭＫ１が表示される。なお、マーカーＭＫ１に代えて、操作すべきペダル鍵ｋ３を指し示す矢印等が表示されてもよく、あるいは操作すべきペダル鍵ｋ３の色が変化されてもよい。
【００３３】
リズム情報表示領域２０２には、ペダル演奏パートのリズムを示すリズム情報が一定区間毎に表示される。図３の例では、リズム情報として、曲中の現時点での位置（以下、現在位置と呼ぶ。）を含む１小節分のリズム譜が表示される。リズム譜上には、現在位置を示すマーカーＭＫ２が表示される。図３の例では、現在位置が１拍目と２拍目との間であることがマーカーＭＫ２により示される。マーカーＭＫ２は、曲の進行に従って移動する。マーカーＭＫ２により示される現在位置が、表示されている小節の最後に到達すると、表示される小節が次の小節に切り替わる。
【００３４】
通常、ペダル演奏パートにはベースパートが割り当てられる。ベースパートにおいては、同じ音高（例えば、コードのルート音）が連続的に配置されることが多い。その場合、ペダル鍵盤画像ＰＩＭ上では、同じペダル鍵ｋ３が繰り返し指定される。そのため、各音の開始および終了の時点がわかりにくくなり、不慣れなユーザにとっては、ペダル演奏パートのリズムを認識することが難しい。そこで、本例では、ペダル鍵盤画像ＰＩＭとともにリズム情報が表示される。この場合、ペダル演奏パートで同じ音高が繰り返される場合であっても、ユーザは、ペダル演奏パートのリズムを容易に認識することができる。したがって、ユーザは、ペダル演奏パートを適切に演奏することが可能となる。
【００３５】
［４］機能的構成
図４は、教習装置１００の機能的な構成を示すブロック図である。図１のＣＰＵ１１がＲＯＭ１０または記憶装置１３に記憶された教習プログラムを実行することにより図４における教習装置１００の各部の機能が実現される。図４に示すように、教習装置１００は、曲データ取得部１０１、音高指定データ取得部１０２、表示部１０３、判定部１０４、ペダル鍵指定部１０５、手鍵指定部１０６、自動演奏部１０７、設定受付部１０８および計時部１０９を含む。
【００３６】
曲データ取得部１０１は、記憶装置１３に記憶された複数の曲データのうち、ユーザにより選択された曲の曲データを取得する。音高指定データ取得部１０２は、演奏すべき音高を指定する音高指定データを順次取得する。本例において、音高指定データ取得部１０２は、取得された曲データの複数のパートデータのうち、選択された練習パートのパートデータから、音高を含むイベントデータを音高指定データとして取得する。表示部１０３は、表示回路７を制御することにより、ペダル鍵盤画像ＰＩＭをディスプレイ６上に表示する。
【００３７】
判定部１０４は、取得された音高指定データにより指定された音高が、手鍵盤ＨＫおよびペダル鍵盤ＰＫのいずれの操作により演奏されるべきかを判定する。本例では、ペダル演奏パートのパートデータから音高指定データが取得された場合、判定部１０４は、当該音高指定データにより指定された音高がペダル鍵盤ＰＫの操作により演奏されるべきであると判定する。一方、上演奏パートまたは下演奏パートのパートデータから音高指定データが取得された場合、判定部１０４は、当該音高指定データにより指定された音高が手鍵盤ＨＫの操作により演奏されるべきであると判定する。
【００３８】
ペダル鍵指定部１０５は、指定された音高がペダル鍵盤ＰＫの操作により演奏されるべきであると判定された場合、指定された音高に対応するペダル鍵ｋ３をペダル鍵盤画像ＰＩＭ上で指定する。手鍵指定部１０６は、指定された音高が上鍵盤ＵＫまたは下鍵盤ＬＫの操作により演奏されるべきであると判定された場合、指定された音高に対応する手鍵を指定する。本例では、指定された音高が上鍵盤ＵＫの操作により演奏されるべきであると判定された場合、手鍵指定部１０６は、指定された音高が割り当てられた上鍵ｋ１に対応する上点灯部Ｌ１を点灯させる。また、指定された音高が下鍵盤ＬＫの操作により演奏されるべきであると判定された場合、手鍵指定部１０６は、指定された音高が割り当てられた下鍵ｋ２に対応する下点灯部Ｌ２を点灯させる。
【００３９】
自動演奏部１０７は、取得された曲データの複数のパートデータのうち、練習パート以外の少なくとも１つのパートのパートデータを音源１６に出力することにより、自動演奏を再生する。以下、自動演奏として再生されるパートを自動演奏パートと呼ぶ。自動演奏パートは、ユーザにより選択されてもよく、あるいは予め定められていてもよい。または、練習パート以外の全パートが自動的に自動演奏パートに設定されてもよい。
【００４０】
設定受付部１０８は、各種の初期設定を受け付ける。例えば、初期設定として、各パートの音色の指定、初期テンポの指定および練習パートの選択等が受け付けられる。また、教習モードに複数のサブモードが用意されている場合、設定受付部１０８が、初期設定として、サブモードの選択を受け付けてもよい。サブモードとしては、例えば、ユーザが操作すべき鍵を操作するまで曲が進行しないモード、およびユーザの演奏に依存することなく曲が進行するモード等がある。また、初期設定として、教習画面におけるリズム情報の表示の有無が選択可能であってもよい。
【００４１】
計時部１０９は、曲の進行に合わせて、タイマ１２による計時を行う。計時部１０９による計時に基づいて、曲中の現在位置が特定される。なお、教習モードのサブモードとして、ユーザの演奏に応じて曲の進行が停止されるモードが選択されている場合、計時部１０９は、曲の進行が停止される期間に計時を一時的に停止する。
【００４２】
［５］教習処理
図５および図６は、教習装置１００における教習処理の一例を示すフローチャートである。図５および図６の教習処理は、教習モードが選択されている場合に、図１のＣＰＵ１１がＲＯＭ１０または記憶装置１３に記憶された教習プログラムを実行することにより行われる。なお、図５および図６の例では、上演奏パート、下演奏パートおよびペダル演奏パートがそれぞれ練習パートとして選択される。
【００４３】
まず、曲データ取得部１０１が、曲の選択を受け付けるとともに（ステップＳ１）、選択された曲の曲データを記憶装置１３から読み出す（ステップＳ２）。例えば、ユーザが図１の設定操作子４を操作して曲を選択すると、曲データ取得部１０１が選択された曲の曲データを読み出す。
【００４４】
次に、設定受付部１０８が、各種の初期設定を受け付ける（ステップＳ３）。次に、計時部１０９は、教習の開始が指示されたか否かを判定する（ステップＳ４）。例えば、設定操作子４が開始ボタンを含み、ユーザが開始ボタンを操作すると、教習の開始が指示される。
【００４５】
教習の開始が指示されるまで、計時部１０９は、ステップＳ４を繰り返す。教習の開始が指示されると、計時部１０９が、図１のタイマ１２による計時を開始する（ステップＳ５）。また、自動演奏部１０７が、ステップＳ２で読み出された曲データに含まれる複数のパートデータうち、自動演奏パートのパートデータに基づいて、自動演奏の再生を開始する（ステップＳ６）。また、表示部１０３が、表示回路７を制御して、ペダル鍵盤画像ＰＩＭを含む教習画面をディスプレイ６上に表示する（ステップＳ７）。さらに、音高指定データ取得部１０２が、各練習パートのパートデータからの音高指定データの取得を開始する（ステップＳ８）。
【００４６】
次に、計時部１０９は、教習を終了すべきか否かを判定する（ステップＳ９）。例えば、選択された曲の終了時点が到来した場合、計時部１０９は教習を終了すべきと判定する。あるいは、設定操作子４が停止ボタンを含み、ユーザが停止ボタンを操作した場合、計時部１０９は教習を終了すべきと判定する。
【００４７】
教習を終了すべき場合、自動演奏部１０７が自動演奏の再生を停止するとともに（ステップＳ１０）、計時部１０９が図１のタイマ１２による計時を停止する（ステップＳ１１）。また、表示部１０３が、表示回路７を制御して、ディスプレイ６上における教習画面２００の表示を停止する（ステップＳ１２）。これにより、教習処理が終了する。
【００４８】
ステップＳ９において、教習を終了すべきでない場合、図６に示すように、音高指定データ取得部１０２は、取得した音高指定データに基づいて、練習パートのノートオンの時点が到来したか否かを判定する（ステップＳ２１）。ノートオンの時点が到来していない場合、以下のステップＳ２２〜Ｓ２６がスキップされる。ノートオンの時点が到来した場合、判定部１０４は、対象の音高が、ペダル鍵盤ＰＫの操作により演奏されるべきか否かを判定する（ステップＳ２２）。対象の音高が、ペダル演奏パートのパートデータから取得された音高指定データにより指定されている場合、判定部１０４は、対象の音高がペダル鍵盤ＰＫの操作により演奏されるべきであると判定する。その場合、ペダル鍵指定部１０５は、対象の音高に対応するペダル鍵ｋ３をペダル鍵盤画像ＰＩＭ上で指定する（ステップＳ２３）。
【００４９】
ステップＳ２２において、対象の音高がペダル鍵盤ＰＫの操作により演奏されるべきでないと判定された場合、判定部１０４は、対象の音高が上鍵盤ＵＫの操作により演奏されるべきか否かを判定する（ステップＳ２４）。対象の音高が上演奏パートのパートデータから取得された音高指定データにより指定されている場合、判定部１０４は、対象の音高が上鍵盤ＵＫの操作により演奏されるべきであると判定する。その場合、手鍵指定部１０６は、対象の音高に対応する上鍵ｋ１を指定する（ステップＳ２５）。具体的には、手鍵指定部１０６は、対象の音高が割り当てられた上鍵ｋ１に対応する上点灯部Ｌ１を点灯させる。
【００５０】
ステップＳ２４において、対象の音高が上鍵盤ＵＫの操作により演奏されるべきでないと判定された場合、判定部１０４は、対象の音高が下鍵盤ＬＫの操作により演奏されるべきであると判定する。その場合、手鍵指定部１０６は、対象の音高に対応する下鍵ｋ２を指定する（ステップＳ２６）。具体的には、手鍵指定部１０６は、対象の音高が割り当てられた下鍵ｋ２に対応する下点灯部Ｌ２を点灯させる。
【００５１】
次に、音高指定データ取得部１０２は、取得した音高指定データに基づいて、練習パートのノートオフの時点が到来したか否かを判定する（ステップＳ２７）。ノートオフの時点が到来した場合、判定部１０４は、対象の音高がペダル鍵盤ＰＫの操作により演奏される音高であるか否かを判定する（ステップＳ２８）。対象の音高がペダル演奏パートのパートデータから取得された音高指定データにより指定されている場合、判定部１０４は、対象の音高がペダル鍵盤ＰＫの操作により演奏される音高であると判定する。その場合、ペダル鍵指定部１０５は、ペダル鍵盤画像ＰＩＭ上で、対象の音高に対応するペダル鍵の指定を終了し（ステップＳ２９）、図５のステップＳ９に戻る。
【００５２】
対象の音高がペダル鍵盤ＰＫの操作により演奏される音高でない場合、判定部１０４は、対象の音高が上鍵盤ＵＫの操作により演奏される音高であるか否かを判定する（ステップＳ３０）。対象の音高が上演奏パートのパートデータから取得された音高指定データにより指定されている場合、判定部１０４は、対象の音高が上鍵盤ＵＫの操作により演奏される音高であると判定する。その場合、手鍵指定部１０６は、対象の音高に対応する上鍵ｋ１の指定を終了する（ステップＳ３１）。具体的には、手鍵指定部１０６は、対象の音高が割り当てられた上鍵ｋ１に対応する上点灯部Ｌ１を消灯させる。その後、手鍵指定部１０６は図５のステップＳ９に戻る。
【００５３】
対象の音高が上鍵盤ＵＫの操作により演奏される音高でない場合、判定部１０４は、対象の音高が下鍵盤ＬＫの操作により演奏される音高であると判定する。その場合、手鍵指定部１０６は、対象の音高に対応する下鍵ｋ２の指定を終了する（ステップＳ３２）。具体的には、手鍵指定部１０６は、対象の音高が割り当てられた下鍵ｋ２に対応する下点灯部Ｌ２を消灯させる。その後、手鍵指定部１０６は図５のステップＳ９に戻る。
【００５４】
［６］効果
本実施の形態に係る教習装置１００においては、音高指定データにより指定された音高がペダル鍵盤の操作により演奏されるべきであると判定された場合、指定された音高に対応するペダル鍵ｋ３がペダル鍵盤画像ＰＩＭ上で指定される。それにより、ユーザ（演奏者）は、ペダル鍵盤画像ＰＩＭを見て操作すべきペダル鍵ｋ３を直感的に認識することができる。また、演奏者は、演奏すべき音高と操作すべきペダル鍵ｋ３とを容易に対応付けることができる。これにより、演奏者のペダル鍵盤ＰＫの演奏技術を効果的に高めることができる。
【００５５】
また、本実施の形態では、指定された音高が手鍵盤ＨＫの操作により演奏されるべきであると判定手段により判定された場合、指定された音高に対応する上鍵ｋ１または下鍵ｋ２がガイド部８によって指定される。これにより、ユーザは、操作すべきペダル鍵ｋ３とともに操作すべき上鍵ｋ１および下鍵ｋ２を容易に認識することができる。したがって、ペダル鍵盤ＰＫの演奏技術に加えて手鍵盤ＨＫの演奏技術も同時に高めることができる。
【００５６】
［７］他の実施の形態
上記実施の形態では、手鍵盤ＨＫが上下に分割された上鍵盤ＵＫおよび下鍵盤ＬＫを含むが、手鍵盤ＨＫが１段の鍵盤のみを含んでもよい。その場合、手鍵盤ＨＫの練習パートとして、１つのパートのみが選択可能であってもよい。あるいは、１段の鍵盤が複数の鍵域に分離可能であってもよい。例えば、１段の鍵盤が、伴奏用の鍵域とメロディ用の鍵域とに左右に分離されてもよい。その場合、鍵域毎に１つのパートが選択可能であってもよい。
【００５７】
上記実施の形態では、複数の上点灯部Ｌ１および複数の下点灯部Ｌ２により操作すべき手鍵がそれぞれ指定されるが、操作すべき手鍵が他の方法で指定されてもよい。例えば、ディスプレイ６上に、手鍵盤ＨＫに対応する手鍵盤画像が表示され、表示された手鍵盤画像上で操作すべき手鍵が指定されてもよい。
【００５８】
上記の電子楽器１は、手操作子の例として手鍵盤ＨＫを備えるが、手鍵盤ＨＫの代わりにまたは手鍵盤ＨＫに加えて、電子楽器１が他の手操作子を備えていてもよい。他の手操作子の例として、例えば、モジュレーションホイール、ピッチベンドホイール、またはタッチパッド等がある。この場合、教習モードでは、他の手操作子の操作をガイドするため、ディスプレイ６上でまたはＬＥＤによって操作すべき他の手操作子が指定されてもよい。
【００５９】
上記実施の形態では、音高指定データがいずれのパートデータから取得されたかに基づいて、当該音高指定データにより指定された音高がペダル鍵盤ＰＫおよび手鍵盤ＨＫのいずれの操作により演奏されるべきか判定されるが、判定の方法はこれに限らない。例えば、ペダル鍵盤ＰＫで演奏されるべき音域および手鍵盤ＨＫで演奏されるべき音域がそれぞれ定められ、指定された音高がいずれの音域に属するかに基づいて、ペダル鍵盤ＰＫおよび手鍵盤ＨＫのいずれの操作により演奏されるべきか判定されてもよい。
【００６０】
あるいは、曲データから演奏ガイドのためのガイド情報が取得され、ガイド情報に基づいて操作すべき鍵盤が判定されてもよい。例えば、ガイド情報として、曲中における上点灯部Ｌ１の点灯のオンオフの時点を示すメッセージとともに、上鍵盤ＵＫを指定する鍵盤指定情報が取得される。その場合、取得された鍵盤指定情報に基づいて、操作すべき鍵盤が上鍵盤ＵＫであると判定される。
【００６１】
上記実施の形態では、足で操作される足操作子群の例としてペダル鍵盤ＰＫが用いられるが、ペダル鍵盤ＰＫの代わりに、他の足操作子群が用いられてもよい。図７は、他の足操作子群を備えた演奏装置を示す図である。図７の演奏装置２５０は、足操作子群の例として、ユーザの足で操作される複数の操作パッドＰＡを有する。複数の操作パッドＰＡには、それぞれ異なる音高が割り当てられる。図７においては、各操作パッドＰＡ上に、当該操作パッドＰＡに割り当てられた音高が示される。図７の演奏装置２５０が用いられる場合には、複数の操作パッドＰＡに対応する足操作子群画像がディスプレイ上に表示される。また、表示された足操作子群画像上で、操作すべき操作パッドＰＡが指定される。
【００６２】
手鍵盤ＨＫの代わりに、例えば図７の例と同様の複数の操作パッドからなる他の手操作子群が用いられてもよい。また、タッチパネルディスプレイ上に表示された複数の操作子が足操作子群または手操作子群として用いられてもよい。
【００６３】
上記実施の形態では、図４の各機能部がＣＰＵ１１等のハードウェアおよび教習プログラム等のソフトウェアにより実現されるが、これらの機能部が電子回路等のハードウェアにより実現されてもよい。
【００６４】
上記実施の形態では、ディスプレイ６を備えた電子楽器１に本発明が適用されるが、スマートフォンまたはタブレット端末等の外部表示装置と接続可能な電子楽器に本発明が適用されてもよい。その場合、電子楽器に接続された外部表示装置によりペダル鍵盤画像が表示される。
【００６５】
［８］請求項の各構成要素と実施の形態の各部との対応
以下、請求項の各構成要素と実施の形態の各部との対応の例について説明するが、本発明は下記の例に限定されない。上記実施の形態における教習装置１００が教習装置の例であり、音高指定データ取得部１０２が取得手段の例であり、ペダル鍵盤ＰＫが足操作子群の例であり、ペダル鍵ｋ３が足操作子の例であり、手鍵盤ＨＫが手操作部および手操作子群の例であり、上鍵ｋ２および下鍵ｋ３が手操作子の例であり、表示部１０３が表示手段の例であり、ペダル鍵盤画像ＰＩＭが足操作子群画像の例であり、判定部１０４が判定手段の例であり、ペダル鍵指定部１０５が足操作子指定手段の例であり、手鍵指定部１０６が手操作子指定手段の例である。請求項の各構成要素として、請求項に記載されている構成または機能を有する他の種々の要素を用いることができる。
【符号の説明】
【００６６】
１…電子楽器，２…演奏操作子，３…入力Ｉ／Ｆ，４…設定操作子，５…検出回路，６…ディスプレイ，７…表示回路，８…ガイド部，９…ＲＡＭ，１０…ＲＯＭ，１１…ＣＰＵ，１２…タイマ，１３…記憶装置，１６…音源，１７…効果回路，１８…サウンドシステム，１００…教習装置，１０１…曲データ取得部，１０２…音高指定データ取得部，１０３…表示部，１０４…判定部，１０５…ペダル鍵指定部，１０６…手鍵指定部，１０７…自動演奏部，１０８…設定受付部，１０９…計時部
【図１】
2018146716.tif 000003
【図２】
2018146716.tif 000004
【図３】
2018146716.tif 000005
【図４】
2018146716.tif 000006
【図５】
2018146716.tif 000007
【図６】
2018146716.tif 000008
【図７】
2018146716.tif 000009